(57)【要約】【課題】光による装飾効果を高めることができる遊技機を提供する。【解決手段】照明装置５０は複数の発光体を備える発光体基板と、それを覆うように配設され、光を透過して複雑に散乱させる部材からなる光散乱部材と、さらにそれを覆うように配設された、光を透過する部材を備えた照明装置カバー８０によって構成されている。このような構成の照明装置５０から照射される光は、光散乱部材及び照明装置カバー８０によって屈折、反射、干渉等様々な作用を受けるため、光の複雑な組み合わせによる強い演出効果を持っている。【選択図】図４
2007229090.tif 000002
【特許請求の範囲】
【請求項１】
遊技機の本体の正面に、複数の発光体を備える照明装置を配設した遊技機において、
前記照明装置は、
前記複数の発光体を覆い、且つ、当該発光体からの光を散乱する光透過性部材から構成された光散乱部材と、
当該光散乱部材を覆う光透過性部材から構成されたカバー部材とから構成されたことを特徴とする遊技機。
【請求項２】
前記照明装置は、遊技機の本体の正面の上部に設けられ、
前記光散乱部材は、前記発光体からの光を上方に散乱させる上部光散乱部材と、
前記発光体からの光を下方に散乱させる下部光散乱部材とから構成され、
前記カバー部材は、前記上部光散乱部材を覆う上部カバー部材と、前記下部光散乱部材を覆う下部カバー部材とから構成されていることを特徴とする請求項遊技機１に記載の遊技機。
【請求項３】
前記発光体は、発光ダイオードであり、
前記照明装置は、当該発光ダイオードが複数配設された基板を備えたことを特徴とする請求項１又は２に記載の遊技機。
【請求項４】
前記光散乱部材は、クリスタルカット状に形成された多数の平面から構成されていることを特徴とする請求項１乃至３の何れかに記載の遊技機。
【発明の詳細な説明】
【技術分野】
【０００１】
本発明は、遊技機に関し、詳細には多数の発光体を備える照明装置を配設した遊技機に関する。
【背景技術】
【０００２】
従来、遊技機の一種であるパチンコ機においては、遊技者が遊技領域を目視するための窓部が形成された表枠が、パチンコ機本体の正面側に開閉可能に設けられている。この表枠の窓部には、ガラス板をガラスフレームで保持したガラス窓が装着されており、遊技者はこのガラス窓を通して遊技領域を目視できるように構成されている。
【０００３】
そして、遊技盤を保持した中枠の各部に、遊技媒体としてのパチンコ球を貯留する上皿および下皿、その他の各種の球処理部等を有する機構セット盤等が配設されている。さらに、遊技者に当該パチンコ機に対する興味を持たせるため、前記表枠や前記遊技盤、及び前記中枠の遊技者が視認できる位置に立体的なデザインや照明装置を配設することが行われている。
【０００４】
また、遊技機に配設される照明装置として、多数の発光体が備えられたものが知られている。このような照明装置において、発光体が発光体収容部に収容され、当該発光体からの光が主反射面及び補助反射面で一旦反射され、その反射光が透光性部材を通るように当該透光性部材と前記主反射面が対向配置されたものがある（例えば、特許文献１参照。）。この構成の遊技機によると、遊技者が視認する透光性部材の部位による光の強さの差異が生じないため、透光性部材全体が略均一に照明される。その結果、遊技者の興味や注意を当該遊技機に惹き付ける効果を高めている。
【特許文献１】特開２００５−１１０７１７号公報
【発明の開示】
【発明が解決しようとする課題】
【０００５】
しかしながら、このような従来の遊技機では、照明装置全体からの光が単調な光であるため、光の持つ装飾効果や演出効果を十分に利用しているとは言えず、遊技者の興味や注意を惹き付ける効果が満足いくものではないという問題点があった。
【０００６】
本発明は上記問題を解決するためになされたものであり、光による装飾効果を高めることができる遊技機を提供することを目的とする。
【課題を解決するための手段】
【０００７】
上記問題を解決するため、請求項１に係る発明の遊技機は、遊技機の本体の正面に、複数の発光体を備える照明装置が配設され、前記照明装置は、前記複数の発光体を覆い、且つ、当該発光体からの光を散乱する光透過性部材から構成された光散乱部材と、当該光散乱部材を覆う光透過性部材から構成されたカバー部材とから構成されたことを特徴とする。
【０００８】
また、請求項２に係る発明の遊技機は、請求項１に記載の発明の構成に加えて、前記照明装置は、遊技機の本体の正面の上部に設けられ、前記光散乱部材は、前記発光体からの光を上方に散乱させる上部光散乱部材と、前記発光体からの光を下方に散乱させる下部光散乱部材とから構成され、前記カバー部材は、前記上部光散乱部材を覆う上部カバー部材と、前記下部光散乱部材を覆う下部カバー部材とから構成されていることを特徴とする。
【０００９】
また、請求項３に係る発明の遊技機は、請求項１又は２に記載の発明の構成に加えて、前記発光体は、発行ダイオードであり、前記照明装置は、当該発行ダイオードが複数配設された基板を備えた。
【００１０】
また、請求項４に係る発明の遊技機は、請求項１乃至３の何れかに記載の発明の構成に加えて、前記光散乱部材がクリスタルカット状に形成された多数の平面から構成されていることを特徴とする。
【発明の効果】
【００１１】
請求項１に係る発明の遊技機では、複数の発光体から照射された光が光散乱部材によって複雑に散乱され、さらにその散乱された光がカバー部材を透過する。この構成のもとで照明装置から照射された光は、光の複雑な組み合わせによる強い演出効果を持っているため、結果遊技機の装飾効果を高めることができる。
【００１２】
また、請求項２に係る発明の遊技機では、請求項１に記載の発明の効果に加えて、照明装置が遊技機の本体の正面上部に設けられ、さらに前記照明装置の上部及び下部から光が照射されるため、強い演出効果を持った光が遊技者にはもちろん、当該遊技機の上方及び遊技盤方向にも効果的に行き届き、当該遊技機の装飾効果をより高めることができる。
【００１３】
また、請求項３に係る発明の遊技機では、請求項１又は２に記載の発明の効果に加えて、発光体として発光ダイオードを用い、当該照明装置に複数の発光ダイオードを配設した基板を備えるため、安価で製造でき、低電力で効率よく駆動できる照明装置とすることができる。
【００１４】
また、請求項４に係る発明の遊技機では、請求項１乃至３の何れかに記載の発明の効果に加えて、光散乱部材がクリスタルカット状に形成された多数の平面から構成されているため、光がより複雑に散乱されて、遊技機の装飾効果をさらに高めることができる。
【発明を実施するための最良の形態】
【００１５】
以下、本発明に係る遊技機の一実施の形態であるパチンコ機１について、図面を参照して詳細に説明する。図１は、パチンコ機１の表枠１４及び中枠１３が開いた状態を斜め前方から見た斜視図であり、図２は、パチンコ機１の正面図であり、図３は、遊技盤２の正面図である。なお、以下の説明において、図１及び図２の紙面手前側を「パチンコ機１の正面側」、紙面奥行き側を「パチンコ機１の背面側」とする。
【００１６】
はじめに、パチンコ機１の概略構成について説明する。図１に示すように、パチンコ機１は、遊技場の島設備（図示外）に配設され、パチンコ機１の本体を支持する正面視略長方形状の外枠１２を備えている。外枠１２は遊技場の島設備（図示外）に取り付けられるパチンコ機１の本体を支持する枠部材である。この外枠１２は、外枠上柱部１２ａ，外枠右柱部１２ｂ，外枠左柱部１２ｃ，外枠下柱部１２ｄからなり、正面視略長方形状の枠を構成している。そして、外枠下柱部１２ｄは他の３つの柱部材である外枠上柱部１２ａ、外枠右柱部１２ｂ、外枠左柱部１２ｃよりもやや前方へ突出した形状を有している。このため、外枠下柱部１２ｄは他の３本の枠部材よりも高い強度を有し、土台としての機能も担っている。さらに、図２に示すように、外枠下柱部１２ｄの遊技者に対向する正面側には、樹脂で形成された黒色の薄板である化粧板（図示外）が張られている。そして、このような構成からなる外枠１２の外枠左柱部１２ｃ近傍に、中枠１３における中枠左柱部近傍が軸支されるようになっている。
【００１７】
この中枠１３は正面視略長方形状の金属製のアングル部材からなる。この中枠１３の左柱部は、上ヒンジ２６及び下ヒンジ２５を介して外枠１２の外枠左柱部１２ｃ近傍に軸支されることにより、中枠１３が外枠１２に対して略水平方向に回動可能（開閉可能）となっている。そして中枠１３の開閉によって中枠１３の中枠右柱部１３ｂで外枠１２に着脱可能となっている。
【００１８】
一方、中枠１３の上半分には遊技盤２が固定されるための正面視略長方形状の遊技盤用開口部（図示外）が形成され、当該遊技盤用開口部に遊技盤２が配設されている。さらに中枠１３の正面側において、遊技盤２の下方には発射機に遊技球を供給し、かつ賞品球を受け入れる上皿５が設けられており、上皿５の直下には賞品球を受ける下皿６が設けられている。当該下皿６の右側には発射機による遊技球の発射を調節する発射ハンドル７が設けられている。また、当該遊技盤２の正面側には正面視略矩形状の表枠１４が設けられている。
【００１９】
そして、図１及び図２に示すように、中枠１３において上皿５の右側には鍵穴７５が設けられており、この鍵穴７５の背後にはシリンダ錠（図示外）が設けられている。この鍵穴７５に鍵（図示外）を挿入し、挿入された鍵を反時計回りに回転させることにより、外枠１２に対して固定されていた中枠１３が略水平方向に回動可能となる。一方、挿入された鍵を時計回りに回転させることにより、中枠１３に対して表枠１４が略水平方向に回動可能となる。また、図１に示すようにパチンコ機１の中枠１３の背面側には、当該パチンコ機１を構成する各部を制御するための、主基板や音基板、電飾基板、サブ統合基板など多数の制御装置を配設した機構セット盤（図示外）等が組み付けられており、それら基盤は樹脂製の透明な板材からなるセンターカバー２７や基盤ボックス２８で保護されている。また、センターカバー２７の上方には、遊技機設置島から供給される遊技球を貯留する遊技球タンク２９が設けられている。
【００２０】
ここで、遊技盤２について説明する。発射ハンドル７の操作により、発射手段である発射機（図示外）から発射された遊技球が遊技盤２及びガラス窓２３によって形成された空間を流下する。この遊技盤２は、中枠１３の裏面側に固定された遊技盤固定枠の遊技盤用開口部（図示外）の正面側に支持され、ガラス窓２３を略中央に保持した表枠１４によって保護されている。図３に示すように、この遊技盤２は正面視略長方形状の板部材であり、３枚の板部材が積層されて１枚の板部材を形成している。図１に示すように、遊技盤２の正面には外レール３及び内レール９（図３参照）に囲まれ、発射手段によって発射された遊技球が流下する正面視略円形状の遊技領域４が設けられている。
【００２１】
そして、図２及び図３に示すようにこの遊技領域４の略中央には、ＬＣＤから構成され、各種図柄を可変表示して所要の遊技演出を行う特別図柄表示画面や各種ランプ及びＬＥＤを備えた特別図柄表示装置８が設けられている。また、この特別図柄表示装置８の下側には特別図柄始動電動役物１５が設けられており、当該特別図柄始動電動役物１５の左右には普通入賞口１９，２０がそれぞれ設けられている。そして、普通入賞口１９の左方には普通図柄始動ゲート１１が設けられている。さらに、特別図柄始動電動役物１５の下方には大入賞口１６が設けられており、当該大入賞口１６の下方には、何れの入賞口にも入賞しなかった遊技球が回収されるアウト口３０が設けられている。
【００２２】
次に、図１、図２、図４、図５を参照して表枠１４について説明する。図４は表枠１４を斜め前方から見た斜視図であり、図５は表枠１４の正面図である。表枠１４は、正面視略長方形状であり、中枠１３に固定された遊技盤２の配設領域に略整合する外形サイズに成形されている。また、遊技盤２の遊技領域４を前側から視認し得るように略中央に開口部が開設されている。この開口部には透明板であるガラス窓２３が嵌め込まれており、当該ガラス窓２３を介して遊技領域４を視認可能となっている。そして、表枠１４の表枠左側端部１４ａが中枠の左柱部の近傍に軸支されることにより、表枠１４が中枠１３に対して略水平方向に回動可能（開閉可能）となっており、表枠１４の開閉によって表枠右側端部１４ｂで中枠１３に着脱可能となっている。表枠１４の右上部と左上部には、それぞれスピーカー保護部８５及びスピーカー保護部８６によって保護された２つのスピーカーが設置されており、２つのスピーカーは配線によって機構セット盤における音基板（図示外）と接続されており、音基板はさらにサブ統合基板により制御されている。すなわちスピーカーからはサブ統合基板による制御により様々な音が発生する。
【００２３】
図４に示すように、この表枠１４の上部には照明装置５０が配設されている。当該照明装置５０は表枠１４の上部において、左右方向の略全長に亘って前側に膨出するように形成されており、その形状は平面視略円弧形である。また、本実施の形態に係る当該照明装置５０は、発光体基板６０を光散乱部材７０が覆い、当該光散乱部材７０と２つのスピーカーをさらに照明装置カバー８０が覆う、という構造となっている（図４及び図６参照）。ここで、発光体基板６０と光散乱部材７０、光散乱部材７０と照明装置カバー８０は完全には密着せず、間には適宜空間が設けられて固定されている。以下、発光体基板６０、光散乱部材７０、照明装置カバー８０の構造について、図面を参照して詳細に説明する。
【００２４】
まず、図６及び図７を参照して発光体基板６０について説明する。図６は、照明装置カバー８０を取り外した状態の表枠１４の右側面図である。図７は、照明装置カバー８０及び光散乱部材７０を取り外した状態の表枠１４を斜め前方から見た斜視図である。図６に示すように、照明装置５０の外部からは視認困難な位置に発光体基板６０が配設されている。図７に示すように、発光体基板６０には照明装置発光用ＬＥＤ６１が水平方向に複数並ぶように配設されている。発光体基板６０は配線により機構セット盤における電飾基板（図示外）と接続されており、電飾基板はサブ統合基板（図示外）により制御されている。すなわち、複数の照明装置発光用ＬＥＤ６１はサブ統合基板により制御されて発光する。この発光体基板６０は表枠１４の上部に固定されている。なお、本実施の形態において、前記照明装置発光用ＬＥＤ６１が本発明の「発光体」に相当する。
【００２５】
次に図６、図８、図９、図１０を参照して、光散乱部材７０について説明する。図８は、照明装置カバー８０を取り外した状態の表枠１４を斜め前方から見た斜視図である。図９は照明装置カバー８０を取り外した状態の表枠１４の正面図であり、図１０は照明装置カバー８０を取り外した状態の表枠１４の平面図である。図６に示すように、光散乱部材７０は、発光体基板６０を覆うように配設されており、光散乱部材７０は上部光散乱部材７１及び下部光散乱部材７２からなる。図６及び図１０に示すように、上部光散乱部材７１は形状が平面視円弧状の樹脂板であり、これが表枠１４の上部において、左右方向を幅広く用い、前記発光体基板６０に覆いかぶさるよう配設されている。また、図６及び図９に示すように、下部光散乱部材７２も同じように樹脂板であり、上部光散乱部材７１の両端を切断した形状である。
【００２６】
そして、上部光散乱部材７１及び下部光散乱部材７２の材質は、無色の透明な合成樹脂である。ここで、本実施の形態に係る上部光散乱部材７１及び下部光散乱部材７２は、上面、下面共に所謂クリスタルカット状に形成されている。すなわち、不規則な形状と面積の多数の平面で表面が形成されている。このように形成された部材の表面は凹凸による複雑な構造を有しており、この部材を通過する光は複雑に散乱され、煌びやかに輝いて見える。そして、図６に示すように、上部光散乱部材７１及び下部光散乱部材７２と、表枠１４によって囲まれる空間に、発光体基板６０が収まるように設置する。詳細には、上部光散乱部材７１は、背面側において発光体基板６０の上方の位置で表枠１４に固定され、樹脂板の円弧部分が正面側に対して斜め下方を向いている。下部光散乱部材７２は、背面側において発光体基板６０の下方の位置で表枠１４に固定され、円弧部分は正面側に対して斜め上方を向いている。上部光散乱部材７１と下部光散乱部材７２とは、右側面視が「くの字状」になるように正面側において当接されている。詳細には、上部光散乱部材７１と下部光散乱部材７２が接触している部分の中心に設けられた光散乱部材当接部７３において当接されている。
【００２７】
次に、図４、図５、図８、図１１、図１２、図１３を参照して、照明装置カバー８０について説明する。図１１は、図４におけるカバー枠８１（後述する）に斜線を引いた図であり、図１２は表枠１４の右側面図であり、図１３は表枠１４の平面図である。図４及び図８を参照すると分かるように、照明装置カバー８０は、光散乱部材７０及びスピーカー５１、スピーカー５２を覆うように配設されており、平面視円弧形、正面視、略長方形の下部をガラス窓の円弧に合わせて円弧形にくりぬいた形状である。本実施の形態に係る照明装置カバー８０は、有色の合成樹脂を材質とするカバー枠８１（図１１の斜線部分）と、上方に光を散乱させるための、無色透明の合成樹脂を材質とする上部カバー部材８２と、下方に光を散乱させるための、無色透明の合成樹脂を材質とする下部カバー部材８３により構成されている。そして、図１１に示すようにカバー枠８１は斜線を引いた部分であり、上部カバー部材８２が照明装置カバー８０の上面に対して占有する面積の割合は大きい。
【００２８】
さて、図５及び図１２に示すように、カバー枠８１の上部には上部カバー部材８２が、下部には下部カバー部材８３が配設されている。図５及び図１３に示すように、上部カバー部材８２の形状は平面視、正面視共に略円弧形である。上面は円弧形の平板により構成され、正面は三日月形の部材を上面の円弧部分の形状に合わせて湾曲させた部材により構成されている。上部カバー部材８２が照明装置カバー８０の上部に対して占有する面積の割合は大きいため、光散乱部材７０は上方から広範囲に視認可能であるように構成されている。また、下部カバー部材８３は図５に示すように、カバー枠８１の下部において、スピーカー保護部８５とスピーカー保護部８６との中間位置に配設されている。また、すぐ下方にはガラス窓２３が位置している。下部カバー部材８３は、正面視、台形の下辺部分をガラス窓２３の円弧にあわせてくり抜いた形状である。下部カバー部材８３は、大きさは上部カバー部材８２よりも小さいが、発光体基板６０からの光がガラス窓２３によって保護されている遊技領域４、さらには遊技者に効果的に行き届くように配設されている。
【００２９】
また、上部カバー部材８２及び下部カバー部材８３の材質は共に無色の透明な合成樹脂であるが、前記光散乱部材７０とは異なり、所謂クリスタルカット状には形成されていないため表面が滑らかである。よって、上部カバー部材８２及び下部カバー部材８３を通して、照明装置カバー８０に覆われた光散乱部材７０を外部から容易に視認することができる。なお、本実施の形態において、照明装置カバー８０が本発明の「カバー部材」に相当する。
【００３０】
さらに、図４及び図１３に示すように、カバー枠８１の右側上部において、正面からは視認し難い位置にカバー陥没部８４が設けられている。これにより表枠１４を略水平方向に開く際、手がカバー陥没部８４に引っかかりやすくなり作業が容易にでき、しかも外見を損なうことがない。また、図１１に示すように、カバー枠８１の左右には、スピーカー保護部８５及びスピーカー保護部８６が形成されている。スピーカー保護部８５及びスピーカー保護部８６の正面側には、強度が高い樹脂や金属からなる網目状のスピーカー保護ネット（図示外）が配設されている。これによりスピーカー５１及び５２からの様々な音が濁らずに聞こえ、さらにスピーカーの保護もなされる。
【００３１】
以上説明したように、照明装置５０は発光体基板６０が光散乱部材７０に覆われ、さらに光散乱部材７０が照明装置カバー８０に覆われる構成となっている。そして上部光散乱部材７１と上部カバー部材８２との間、下部光散乱部材７２と下部カバー部材８３との間は共に、密着せずにそれぞれ所定距離が設けられている。そして、光散乱部材７０及び照明装置カバー８０は共に上部と下部に分けられているため、発光体基板６０により照射された光は上方及び下方に分けられて照射される。
【００３２】
ここで、図４及び図１３を参照して、この構成の照明装置５０によりもたらされる作用について詳細に説明する。まず、図４に示すように当該照明装置５０は表枠１４の上部において、左右方向の略全長に亘って前側に膨出するように立体的に形成されている。このため当該照明装置５０はパチンコ機１の全体的なデザイン性を向上させ、結果当該パチンコ機１に対する遊技者の興味を惹くことができる。また、遊技者は所謂クリスタルカット状に形成された光散乱部材７０を外部から直接視認可能である。このように形成された光散乱部材７０は、たとえ発光体基板６０からの光の照射が無くても、外部からの光を反射するだけで人目に美しい。この理由からも、当該照明装置５０は高い装飾効果を有する。
【００３３】
さらに、図４及び図１３に示すように、当該照明装置５０の正面視右側上部において、正面からは視認し難い部分にカバー陥没部８４が設けられている。これはパチンコ機１の外見を損なわない程度に少し陥没させているだけである。しかし、照明装置５０が表枠１４に配設されているため、表枠１４を略水平方向に開く際に、このカバー陥没部８４を設けたことにより力が伝わりやすくなる。よって作業者等の作業効率を高める効果も有する。
【００３４】
次に、先述したように、光散乱部材７０は共に樹脂板からなる上部光散乱部材７１及び下部光散乱部材７２により構成される。（図６参照）この光散乱部材７０は、上部カバー部材８２及び下部カバー部材８３を通して外部より視認可能であるが、上部光散乱部材７１と下部光散乱部材７２との隙間や光散乱部材当接部７３など、装飾効果を低減させるような部分は、カバー枠８１により視認困難となっている。これにより、高い装飾効果を保ちつつ、簡易な構成で作成されることを可能にしている。
【００３５】
また、光散乱部材７０、上部カバー部材８２、下部カバー部材８３の材質として、無色の透明な合成樹脂を用いている。これにより、発光体基板６０からの発光色を変更すると、遊技者はその色を直接視認することができる。すなわち、発光体基板６０からの発光色を変化させることによって、当該照明装置５０の装飾効果の幅を広げることができる。
【００３６】
次に、発光体基板６０から光が照射された場合について説明する。サブ統合基板により制御されている電飾基板（図示外）により、発光体基板６０に配設された複数の照明装置発光用ＬＥＤ６１が発光する。照射された光は、発光体基板６０を覆うように配設された光散乱部材７０に入射する。光散乱部材７０はその材質が光透過性を有する合成樹脂であるので、入射した光は透過する。ここで、当該光散乱部材７０の表面は不規則な形状と面積の多数の平面で覆われており、凹凸による複雑な構造を有している。このため、光散乱部材７０を透過した光は、様々な方向に屈折した光が複雑に交じり合っており、光が交じり合うと干渉が起こる。このような光は煌びやかに輝いて見え、高い装飾効果を保持している。
【００３７】
さらに、光散乱部材７０と照明装置カバー８０との間には所定空間が設けられているため、この所定空間内で反射を繰り返す光も存在する。反射を繰り返す光は、光散乱部材７０によってさらに複雑に乱反射され、この光も上部カバー部材８２及び下部カバー部材８３を透過する。また、先述したように照明装置５０の外部から上部カバー部材８２及び下部カバー部材８３を透過し、所定空間内で反射を繰り返し、再び外部に透過する光も存在する。このように、当該照明装置５０から照射される光は複雑に散乱した様々な光が組み合わされているため、結果当該パチンコ機１の装飾効果を高めることを実現している。
【００３８】
以上、本実施の形態に係るパチンコ機１によれば、遊技機本体の正面に複数の発光体を備える照明装置５０が配設され、当該照明装置５０は光散乱部材である光散乱部材７０と、カバー部材である照明装置カバー８０から構成されている。この構成のもとで当該照明装置５０から照射された光は、光の複雑な組み合わせによる強い演出効果を持っているため、パチンコ機１の装飾効果を高めることができる。
【００３９】
また、上部光散乱部材７１及び上部カバー部材８２で照明装置上部が構成され、下部光散乱部材７２及び下部カバー部材８３で照明装置下部が構成されている。この構成により、強い演出効果を持った光が遊技者にはもちろん、パチンコ機１の上方及び遊技盤２にも効果的に行き届き、パチンコ機１の装飾効果をより高めることができる。
【００４０】
また、発光体基板６０の発光体として複数の発光ダイオードが配設された基板が用いられているため、安価に製造でき、さらに低電力で効率よく駆動できる照明装置を作ることができる。
【００４１】
また、光散乱部材である光散乱部材７０の表面が所謂クリスタルカット状に形成された多数の平面から構成されているため、光がより複雑に散乱、反射、干渉等をする。その結果パチンコ機１の装飾効果をさらに高めることができる。
【００４２】
なお、本発明は上記実施の形態に限定されることはなく、本発明の趣旨を逸脱しない範囲内で種々の改良、変形が可能であることは勿論である。例えば、本実施の形態では照明装置５０の形状を平面視略円弧形としたが、箱型、円柱状など、様々な形状に変形可能である。さらに、大きさも表枠１４の左右方向の略全長に亘って形成されているが、これに限られず、適宜変更可能である。
【００４３】
また、本実施の形態では、本発明における「複数の発光体」である発光体基板６０と、本発明における「光散乱部材」である光散乱部材７０と、本発明における「カバー部材」である照明装置カバー８０は、それぞれが完全には密着せず、間には適宜空間が設けられて固定されている。しかし、少なくとも一部を密着させて構成してもよい。
【００４４】
また、本実施の形態では、本発明における「光散乱部材」である光散乱部材７０、及び本発明における「カバー部材」である上部カバー部材８２、下部カバー部材８３の材質には無色の透明な合成樹脂が用いられているが、少なくとも１つの材質に光透過性を保持しており、且つ有色である、青透明や赤透明等の合成樹脂を用いてもよいし、少なくとも１つの材質に半透明性を有している合成樹脂を用いてもよい。また、有色の光透過性のない部材に複数の孔を設け、その孔から光が透過されるように構成された部材を用いてもよい。さらには、先述したような様々な材質や部材を組み合わせることで変化を持たせ、演出の幅を広げることも可能である。
【００４５】
また、本実施の形態では、本発明における「光散乱部材」である光散乱部材７０は、その全面がクリスタルカット状に形成されているが、必ずしも全面をクリスタルカット状に形成する必要はない。例えば、一部に滑らかな曲面を含んでもよいし、キャラクター、記号、数字、ロゴマークやその他の図柄などを彫りこんでもよい。また、これらを任意に組み合わせて「光散乱部材」を構成してもよい。すなわち、「光散乱部材」の形態はこれに限られるものではなく、様々に変更、変形が可能である。
【００４６】
また、本実施の形態では、本発明における「光散乱部材」に上部光散乱部材７１及び下部光散乱部材７２の計２つを、光透過性部材からなる「カバー部材」に上部カバー部材８２及び下部カバー部材８３の計２つをそれぞれ用いたが、目的に合わせて、例えば「光散乱部材」と「カバー部材」の組み合わせを上下ではなく左右の２箇所に用いてもよい。また、上下左右の４箇所や、右上部、右下部、左上部、左下部の計４箇所というように、２箇所以上の部位に用いてもよいし、１つの「光散乱部材」によって散乱された光が複数の「カバー部材」から照射されるような構成、及びその組み合わせを用いてもよい。また、照射照明装置の全面を光透過性部材で覆ってもよい。さらには、「カバー部材」を湾曲させたり、屈曲させたりして構成してもよい。
【００４７】
また、本発明に係る照明装置の設置部位はパチンコ機１の本体の正面上部に限られるものではなく、設置部位や設置個数は変更可能である。例えば本体の正面の左右２箇所においてそれぞれ縦長に配設してもよいし、さらには上皿や下皿、その他遊技盤の正面側に位置する構成部位に配設してもよい。
【００４８】
そして、発光体基板６０における「発光体」には照明装置発光用ＬＥＤ６１が用いられているが、その目的を達成できるものであれば他の手段を用いて実現してもよい。例えば「発光体」として電球やネオン管を用いてもよい。さらに「発光体」の色に関して、１種類の色だけではなく、複数の種類の色で構成してもよい。これにより、当該照明装置の装飾効果をよりいっそう高めることができる。
【００４９】
このように、本発明に係る照明装置及びそれを備えた遊技機は、上記実施の形態に限定されずに、上記のように各種構成を様々に変化させることができ、上記実施の形態に係る構成及び変化させた構成を任意に組み合わせることで、さらに遊技者の興趣や注意を惹き付けることが可能であることは言うまでもない。
【００５０】
以上説明したように、当該照明装置から照射された光は、光の複雑な組み合わせによる強い演出効果を持っているため、結果遊技機の装飾効果を高めることができる。
【産業上の利用可能性】
【００５１】
本発明に係る照明装置を備えた遊技機は、パチンコ機に限られず、パチコン機、パチスロ機等の各種の遊技機に適用することができる。
【図面の簡単な説明】
【００５２】
【図１】パチンコ機１の表枠１４及び中枠１３が開いた状態を斜め前方から見た斜視図である。
【図２】パチンコ機１の正面図である。
【図３】遊技盤２の正面図である。
【図４】表枠１４を斜め前方から見た斜視図である。
【図５】表枠１４の正面図である。
【図６】照明装置カバー８０を取り外した状態の表枠１４の右側面図である。
【図７】照明装置カバー８０及び光散乱部材７０を取り外した状態の表枠１４を斜め前方から見た斜視図である。
【図８】照明装置カバー８０を取り外した状態の表枠１４を斜め前方から見た斜視図である。
【図９】照明装置カバー８０を取り外した状態の表枠１４の正面図である。
【図１０】照明装置カバー８０を取り外した状態の表枠１４の平面図である。
【図１１】図４におけるカバー枠８１に斜線を引いた図である。
【図１２】表枠１４の右側面図である。
【図１３】表枠１４の平面図である。
【符号の説明】
【００５３】
１    パチンコ機
２    遊技盤
４    遊技領域
５    上皿
６    下皿
１２    外枠
１３    中枠
１４    表枠
５０    照明装置
６０    発光体基板
６１    照明装置発光用ＬＥＤ
７０    光散乱部材
７１    上部光散乱部材
７２    下部光散乱部材
７３    光散乱部材当接部
８０    照明装置カバー
８１    カバー枠
８２    上部カバー部材
８３    下部カバー部材
８４    カバー陥没部
【図１】
2007229090.tif 000003
【図２】
2007229090.tif 000004
【図３】
2007229090.tif 000005
【図４】
2007229090.tif 000006
【図５】
2007229090.tif 000007
【図６】
2007229090.tif 000008
【図７】
2007229090.tif 000009
【図８】
2007229090.tif 000010
【図９】
2007229090.tif 000011
【図１０】
2007229090.tif 000012
【図１１】
2007229090.tif 000013
【図１２】
2007229090.tif 000014
【図１３】
2007229090.tif 000015